(57)【要約】      （修正有）【課題】架台の角度調整や高さ調整をワンタッチで行うことができ、強度的にも優れた太陽光発電パネル用架台の支持脚構造を提供する。【解決手段】背の低い水下側支持脚３と、これと平行に背の高い水上側支持脚２とを複数並設する。水下側支持脚３上に下梁部材５を、水上側支持脚２上に上梁部材４を架設する。上・下梁部材４、５上に傾斜させて複数の斜辺部材３０を所定間隔で並べて架設した太陽光発電パネル用架台１の支持脚構造である。水上側支持脚２は、水上側基礎ブロック２ａ、水上側取付プレートと束材とで構成される。水下側支持脚３は、水下側基礎ブロック３ａ、取付部材、水下側取付プレートとで構成される。各取付部材と、水上側取付プレート又は水下側取付プレートとの接触面には多列の水平凹凸溝がそれぞれ形成され、ボルト固定される。【選択図】図１
2015021348.tif 000002
【特許請求の範囲】
【請求項１】
背の低い水下側支持脚を複数並設すると共に水下側支持脚上に下梁部材を架設し、水下側支持脚の列に沿って背の高い水上側支持脚を複数並設すると共に水上側支持脚上に上梁部材を架設し、
下梁部材と上梁部材の上にて傾斜させて、複数の斜辺部材を所定間隔で並べて架設し、
斜辺部材の上に複数の太陽光発電パネルを傾斜させて並設するための太陽光発電パネル用架台の支持脚構造において、
水上側支持脚は、地盤に設置された水上側基礎ブロック、水上側基礎ブロックに固定される水上側取付プレート、下端部が取付部材を介して水上側取付プレートに取り付けられ、上端部が上梁部材に固定された束材とで構成され、
水下側支持脚は、地盤に設置された水下側基礎ブロック、水下側基礎ブロックに固定され、取付部材を介して下梁部材に取り付けられる水下側取付プレートとで構成され、
各取付部材と、水上側取付プレート又は水下側取付プレートとの接触面には多列の水平凹凸溝がそれぞれ形成され、
水上側取付プレート又は水下側取付プレートには縦方向の垂直水平長孔が形成され、各取付部材には締結ボルト用の通孔が穿設され、
束材又は下梁部材に取り付けられ、前記垂直水平長孔及び通孔を挿通して取り付けられた締結ボルトにより、束材が水上側取付プレートに固定され、下梁部材が水下側取付プレートに固定されていることを特徴とする太陽光発電パネル用架台の支持脚構造。
【請求項２】
上梁部材の束材の上端部が取り付けられる面には上梁部材の全長に亙って水平段部が形成されており、
束材の上端部が前記水平段部に当接し、且つ、隣接する束材は、互いに反対方向に傾斜するように上梁部材に取り付けられていることを特徴とする請求項１に記載の太陽光発電パネル用架台の支持脚構造。
【請求項３】
梁部材及び下梁部材の締結ボルトの取付面に上梁部材及び下梁部材の全長にわたって締結ボルトの取り付け用のレール溝が形成されていることを特徴とする請求項１又は２に記載の太陽光発電パネル用架台の支持脚構造。
【請求項４】
少なくとも基礎ブロックを除く架台の構造部材がアルミ押出部材であることを特徴とする請求項１〜３のいずれかに記載の太陽光発電パネル用架台の支持脚構造。
【発明の詳細な説明】
【技術分野】
【０００１】
本発明は、太陽光を用いて発電を行う太陽光発電パネル用架台の支持脚構造に関し、特に太陽光発電パネルの設置角度や設置高さを簡単かつ確実に変更することができ、しかも台風などの気象環境の変化に影響を受けにくい支持脚構造に係る。
【背景技術】
【０００２】
太陽光発電システムでは、太陽光を最も効率よく取り入れることができる方向に太陽光発電パネルを向けて架台上に固定支持する必要がある。この架台は通常複数の斜辺部材と複数の支持脚部材を現場で矩形状もしくは井桁状に組み合わせ、各斜辺部材の上に縦横に複数の太陽光発電パネルを配置して、各太陽光発電パネルを固定支持している（特許文献１）。
【０００３】
現場での組み立ては、架台を前述のように太陽光を最も効率よく取り入れることができる方向に向けて組み立てる必要があるため、太陽光発電パネルの傾斜角度や設置高さなどを微妙に調整する必要があり、太陽光発電システムが大面積の場合、膨大な調整を必要としこれが組み立て作業の効率化を妨げていた。又、このように組み立てられた架台は長期間にわたって風雨に曝されることになるが、特に大面積で設置される太陽光発電パネルは、台風などの暴風を受けた時、架台の下に回り込んだ風によって大きな風圧を受け、支持脚部材が破損するというような被害を受けることが多い。
【先行技術文献】
【特許文献】
【０００４】
【特許文献１】特開２０１３−１２５８５６号公報  そのために従来の架台では、構成部材に強度の大なＨ形鋼やＣ形鋼などスチール製を多用している。しかしながらスチール製の構成部材は非常に重く、持ち運びや組み立てに多大の労力が必要となり、この面でも組み立て作業の非効率化を招いていた。加えて、前述のような設置角度や設置高さの調整が必要であるが、構成部材にＨ形鋼やＣ形鋼など使用している場合、構造が単純であるため構造部材の接続部分での調整に手間取ることを多くこの点でも非効率化を招いていた。
【発明の概要】
【発明が解決しようとする課題】
【０００５】
本発明は、上記問題点に鑑みてなされたもので、架台の角度調整や高さ調整をワンタッチで行うことができ、しかも強度的にも非常に優れた太陽光発電パネル用架台の支持脚構造を提供するにある。
【課題を解決するための手段】
【０００６】
請求項１に記載の発明は、
背の低い水下側支持脚３を複数並設すると共に水下側支持脚３上に下梁部材５を架設し、
水下側支持脚３の列に沿って背の高い水上側支持脚２を複数並設すると共に水上側支持脚２上に上梁部材４を架設し、
下梁部材５と上梁部材４の上にて傾斜させて、複数の斜辺部材３０を所定間隔で並べて架設し、
斜辺部材３０の上に複数の太陽光発電パネル２０を傾斜させて並設するための太陽光発電パネル用架台１の支持脚構造において、
水上側支持脚２は、地盤Ｇに設置された水上側基礎ブロック２ａ、水上側基礎ブロック２ａに固定される水上側取付プレート２ｃ、下端部が取付部材２ｄを介して水上側取付プレート２ｃに取り付けられ、上端部が上梁部材４に固定された束材２８とで構成され、
水下側支持脚３は、地盤Ｇに設置された水下側基礎ブロック３ａ、水下側基礎ブロック３ａに固定され、取付部材３ｄを介して下梁部材５に取り付けられる水下側取付プレート３ｃとで構成され、
各取付部材２ｄ、３ｄと、水上側取付プレート２ｃ又は水下側取付プレート３ｃとの接触面には多列の水平凹凸溝２ｃ３、２ｄ３、３ｃ３，３ｄ３がそれぞれ形成され、
水上側取付プレート２ｃ又は水下側取付プレート３ｃには縦方向の垂直長孔２ｃ５，３ｃ５が形成され、
各取付部材２ｄ、３ｄには締結ボルト２６，３６用の通孔２ｄ４、３ｄ４が穿設され、
束材２８又は下梁部材５に取り付けられ、前記垂直長孔２ｃ５，３ｃ５及び通孔２ｄ４、３ｄ４を挿通して取り付けられた締結ボルト２６，３６により、束材２８が水上側取付プレート２ｃに固定され、下梁部材５が水下側取付プレート３ｃに固定されていることを特徴とする。
【０００７】
請求項２は、請求項１において、上梁部材４には束材２８の上端部が取り付けられる面には上梁部材４の全長に亙って水平段部４ｂが形成されており、
束材２８の上端部が前記水平段部４ｂに当接し、且つ、隣接する束材２８は、互いに反対方向に傾斜するように上梁部材４に取り付けられていることを特徴とする。
【０００８】
請求項３は、請求項１又は２において、上梁部材４及び下梁部材５の締結ボルト２６，３６の取付面に上梁部材４及び下梁部材５の全長にわたって締結ボルト２６，３６の取り付け用のレール溝４ｅ、５ｅが形成されていることを特徴とする。
【０００９】
請求項４は、請求項１〜３において、少なくとも基礎ブロック２ａ，３ａを除く架台１の構造部材がアルミ押出部材であることを特徴とする。
【発明の効果】
【００１０】
請求項１に記載の発明は、接触面に多列の水平凹凸溝２ｃ３、２ｄ３、３ｃ３，３ｄ３がそれぞれ形成された取付部材２ｄ、３ｄと水上側取付プレート２ｃ又は水下側取付プレート３ｃとを用いて架台１を組み立てているので、基礎ブロック２ａ，３ａ上の水上側取付プレート２ｃ又は水下側取付プレート３ｃを基準に、水上側取付プレート２ｃ又は水下側取付プレート３ｃの縦方向の垂直水平長孔２ｃ６，３ｃ５を利用して束材２８や下梁部材５を取付部材２ｄ、３ｄとともに上下させ、適正箇所で水下側取付プレート３ｃと水下側取付プレート３ｃを両側から締結ボルト２６，３６を締め付けることで、水上側取付プレート２ｃ又は水下側取付プレート３ｃに束材２８や下梁部材５を固定することになる。この時、水平凹凸溝２ｃ３、２ｄ３、３ｃ３，３ｄ３により溝幅Ｔで取り付け高さや傾斜角度をワンタッチで細かくかつ正確に調整することができ、作業の効率化を図ることができる。
【００１１】
また、束材２８の上端部を上梁部材４に形成された前記水平段部４ｂに当接するようにしておけば、上梁部材４に対して束材２８が上梁部材４を下から持ち上げるような状態となり、束材２８に対する上梁部材４の固定がより強固に行われ、さらに、束材２８が互いに反対方向に傾斜するように上梁部材４に取り付けられているため、上梁部材４に平行な強風に対して反対方向に傾斜した束材２８が一種のトラス構造の働きをなし、仮に、架台１の構造部材を軽量のアルミ押出材で構成したとしても、十分な強度を示すことになる。
【００１２】
さらに、上梁部材４及び下梁部材５の締結ボルト２６，３６の取付面の全長にわたってレール溝４ｅ、５ｅを形成しておけば、締結ボルト２６，３６をレール溝４ｅ、５ｅに沿って移動させることが出来、どの位置でも束材２８や下梁部材５を取り付けることができる。なお、架台１の構造部材をアルミ押出部材とすれば、軽量のため取り扱いが簡単で組み立て作業を効率的に行うことができる。
【図面の簡単な説明】
【００１３】
【図１】本実施形態における太陽光発電パネルの設置状態の斜視図である。
【図２】図１に用いられる基台の斜視図である。
【図３】本発明に用いられる斜辺部材の設置状態の拡大断面斜視図である。
【図４】図３のＸ部拡大断面斜視図である。
【図５】本発明の水上側支持脚部分の斜視図である。
【図６】本発明の水下側支持脚部分の斜視図である。
【図７】(a)は本発明の水上側支持脚部分の断面図、(b)はその一部拡大断面図、(c)は他の実施例の一部拡大断面図である。
【図８】(a)は本発明の水下側支持脚部分の側面図、(b)はその一部拡大図である。
【図９】本発明に使用される組立金具の斜視図である。
【発明を実施するための形態】
【００１４】
以下、本発明の実施形態について図面に沿って詳細に説明する。太陽光発電パネル２０は、照射された太陽光を電気に変換し、該パネル２０から引き出されたコード２１を介して外部に送電する設備であり、基台１０上に傾斜させて並設された斜辺部材３０上に縦横に並べて設置され、引き出されたコード２１は必要に応じて斜辺部材３０に収納される。基台１０は、斜辺部材３０が傾斜して所定間隔で載置される上・下梁部材４，５以下の部分である。
【００１５】
太陽光発電パネル用架台１は、基台１０と、この上に傾斜して所定間隔で載置される斜辺部材３０とで構成される。基台１０は、並設された複数の背の高い水上側支持脚２と、水上側支持脚２より背の低い水下側支持脚３と、隣接する水上側支持脚２間に架設された上梁部材４と、隣接する水下側支持脚３間にそれぞれに架設された下梁部材５で構成されている。水上側支持脚２及び水下側支持脚３は、基礎ブロック２ａ，３ａと、基礎ブロック２ａ，３ａ上に設けられた背の高い脚部２ｂ、背の低い水下側設置部材３ｂで構成されている。基礎ブロック２ａ，３ａ間の間隔Ｌを接離させることにより、或いは後述する束材２８などの取付高さを変更することにより、基台１０の傾斜角度を適切な角度に設定することができる。そして、図２に示すように、上梁部材４と下梁部材５に直交し且つ所定間隔で斜辺部材３０が傾斜して固定されている。
【００１６】
斜辺部材３０は、図４に示すように、斜辺部材本体３１と必要に応じて設けられるカバー部材３２とで構成されている。本実施例ではカバー部材３２を用いた場合を採用いている。斜辺部材本体３１は、アルミ押出材で構成され、平行した一対の縦片３１ｔと、縦片３１ｔの上縁間に設けられた上面部３１ｊ、下縁間に設けられた下面部３１ｋおよび下縁外面から外に延出されたＬ形の下リブ３１ｒとで構成され、上・下面部３１ｊ、３１ｋには斜辺部材本体３１の全長にわたって係合溝３１ｍ，３１ｎが形成されている。係合溝３１ｍ，３１ｎの開口内縁にはそれぞれ係止リブ３１ｏ，３１ｐが全長にわたって突設されている。そして、上面部３１ｊの外縁から垂設された垂設片３１ｑの下端全長に軸部３１ｓが形成されている。Ｌ形の下リブ３１ｒの先端部分には上方に向かって掛止片３１ｒ１が立設されている。
【００１７】
カバー部材３２は樹脂材（勿論、アルミ押出材で形成してもよい。）で、水平片部３２ａと垂直片部３２ｂおよび水平片部３２ａと垂直片部３２ｂを繋ぐ円弧片部３２ｃとで構成されており、水平片部３２ａの先端に軸部３１ｓに外嵌して回動する関節部３２ｓが全長に亘って形成され、縦片３１ｔの側面３３とカバー部材３２との間に電線挿通用空間３３が設けられている。垂直片部３２ｂの下端部内面には内方に延出された内鍔片３２ｄが全長に亘って設けられており、下リブ３１ｒの掛止片３１ｒ１に係脱可能な係止片３２ｄ１が垂設されている。なお、内鍔片３２ｄの先端部分は全長に亘って下方に傾斜するように折曲されている。そして垂直片部３２ｂの下端部分に固定用の通孔３２ｂ１が所定間隔で形成されている。カバー部材３２は斜辺部材本体３１と同じ長さで、カバー部材３２の関節部３２ｓを軸部３１ｓに外嵌させ、この部分を丁番として回動可能とし、斜辺部材本体３１とカバー部材３２の少なくともいずれか一方に、電線挿通用空間３３に連通する開口３４を形成するようにしてもよいが、本実施例では、図３に示すように、カバー部材３２の長さを例えば太陽光発電パネル２０に合わせた長さとし、電線挿通用空間３３に連通する開口３４となる隙間を設けて複数枚のカバー部材３２を斜辺部材本体３１に取り付けるようにしている。
【００１８】
上・下梁部材４，５もアルミ押出材で、図７，８に示すように、斜辺部材３０の下面に接合される対向面である上面の全長に亘って設けられた係合溝３１ｍ’の開口縁に係止リブ３１ｏ’が形成されている。なお、係合溝３１ｍ’は斜辺部材３０の係合溝３１ｍと同じ形状である。従って、係止リブ３１ｏ’も係止リブ３１ｏと同じ形状である。
【００１９】
上梁部材４の断面形状は、図７からわかるように、その本体部４ａの上面が若干傾斜しており、束材２８の取り付け側の面の下部に大きな水平段部４ｂが形成されており、水平段部４ｂの垂直面に全長にわたってレール溝４ｅが設けられており、レール溝４ｅの開口縁４ｅ１に取付ボルト４２の頭部が係合しつつスライドするようになっている。
【００２０】
そして、レール溝４ｅの上下には垂直面の長手方向の全長にわたって浅い凹溝４ｄが形成されており、さらにボルト孔の上下にてその凹溝４ｄに長手方向の全長にわたってＶ凸条４ｆが形成されている。
【００２１】
下梁部材５の断面形状は、図８からわかるように、本体部５ａは長方形で上面が若干傾斜しており、水下側取付プレート３ｃに接触する面には長手方向を全長にわたってレール溝５ｅが形成されており、レール溝５ｅの開口縁５ｅ１に締結ボルト３６の頭部が係合しつつスライドするようになっている。
【００２２】
水上側支持脚２は、地盤Ｇに設置された水上側基礎ブロック２ａ、水上側基礎ブロック２ａに固定される水上側取付プレート２ｃ、下端部が取付部材２ｄを介して水上側取付プレート２ｃに取り付けられ、上端部が上梁部材４に固定された束材２８とで構成されている。なお、水上側基礎ブロック２ａ上の脚部１ｂは水上側取付プレート２ｃ、取付部材２及び束材２８で構成される。水上側基礎ブロック２ａは、略立方体状のコンクリートブロックで、上面に取付ボルト２７が植設されている。
【００２３】
水上側取付プレート２ｃは、水平板部２ｃ１と、水平板部２ｃ１の先端に立設された垂直板部２ｃ２とでＬ形に構成され、その入隅には全長にわたって肉厚で略直角三角形状の補強部２ｃ４が形成されている。そして、水平板部２ｃ１の中央には垂直板部２ｃ２側から反対側の辺に向かう１の水平長孔２ｃ６が形成され、垂直板部２ｃ２の水平板部２ｃ１側の垂直面には水平方向に多段の水平凹凸溝２ｃ３が形成され、更に両脇に縦方向に１の垂直長孔２ｃ５がそれぞれ形成されている。
【００２４】
取付部材２ｄは矩形の板で、中央にボルト孔２ｄ４が形成されており、垂直板部２ｃ２に接触する面には垂直板部２ｃ２の水平凹凸溝２ｃ３に噛合する多段の水平凹凸溝２ｄ３が水平方向に形成されている。
【００２５】
束材２８はアルミの板材で、両端にボルト孔が形成されており、その上端は長手方向に対して斜め（例えば４０〜５０°）に切断されている「図７(b)」。これに対して、図７(c)に示す他の実施例では、上梁部材４に接する面には斜めに切落された上端に平行にて幅方向に膨出部分２８ｄが設けられており、さらにその膨出部分２８ｄのボルト孔の上下にＶ凹溝２８ｆが幅方向にて上端に平行に傾斜して形成されている。このＶ凹溝２８ｆを形成しておけば、束材２８を上梁部材４によりよく添わせることができる。
【００２６】
水下側支持脚３は、地盤Ｇに設置された水下側基礎ブロック３ａ、水下側基礎ブロック３ａに固定され、取付部材３ｄを介して下梁部材５に取り付けられる水下側取付プレート３ｃとで構成されている。水下側基礎ブロック３ａは前述の水上側基礎ブロック２ａと同じで、その上面に取付ボルト３７が植設されている。前述の水下側設置部材３ｂは水下側取付プレート３ｃと取付部材３ｄ及びその締結部材（締結ボルト３６、ナット３６ａなどの）で構成されることになる。
【００２７】
取り付け部材３ｄは、取付部材２ｄと同一形状であり、取付部材２ｄの記載を取付部材３ｄの説明に援用する。同様に水下側取付プレート３ｃも水上側取付プレート２ｃと同一形状であり、水上側取付プレート２ｃの記載を水下側取付プレート３ｃの説明に援用する。取付部材２ｄに対応する部分は、それぞれ水平板部３ｃ１、垂直板部３ｃ２、水平方向に設けられた多段の水平凹凸溝３ｃ３、肉厚で略直角三角形状の補強部３ｃ４、垂直長孔３ｃ５、１の水平長孔３ｃ６が形成されている。
【００２８】
取付部材３ｄでは、多段の水平凹凸溝３ｄ３、中央のボルト孔３ｄ４が形成されている。なお、水平凹凸溝２ｃ３、２ｄ３、３ｃ３、３ｄ３の溝幅Ｔは１〜２ｍｍ程度のものである。
【００２９】
組立金具６は、図９に示すように細長い棒状の金属（例えばステンレス）製部材で、締結具として六角ボルトが使用され、これに対して、金具本体６ｈの上面６ｔの中央に締結部６ｃとなるねじ孔が形成されている。勿論、締結具が六角ボルトでなければ、それに対応した締結部６ｃが採用される。そして、締結部６ｃの両方に斜辺部材３０の係合溝３１ｍの係止リブ３１ｏや、上・下梁部材４，５の係合溝３１ｍ’の係止リブ３１ｏ’の厚みとほぼ等しい高さの直方体状の隆起部６ｒが突設されており、隆起部６ｒの入隅部分が係止リブ３１ｏ，３１ｏ’に係止する係止部となっている。
【００３０】
そして、一方の絶縁破壊突起６ａは隆起部６ｒの上面６ｔに２か所づつ、他方の絶縁破壊突起６ｂは金具本体６ｈの上面６ｔで、締結部６ｃの周囲に本実施例では４カ所突設されている。絶縁破壊突起６ａ，６ｂの形状は円錐や三角錐、四角錐など錐形のものが好ましい。なお、隆起部６ｒの上面６ｔに設けられた絶縁破壊突起６ａは、隆起部６ｒの両サイドの入隅部分が係止リブ３１ｏ，３１ｏ’に係止し、絶縁破壊突起６ｂがこれらに突き刺さった時に、係止リブ３１ｏ，３１ｏ’より上に突出して上の接合面に突き刺さる高さに形成されている。
【００３１】
太陽光発電パネル２０を固定する固定部材５０はコ字状の本体５０ａの開口端に外鍔５１が突設されており、本体５０ａの中央に締結孔が穿設されている。
【００３２】
基台１０の組み立てに当たっては、基礎ブロック２ａ，３ａを所定の間隔で配置し、基礎ブロック２ａ，３ａに水上側・水下側取付プレート２ｃ，３ｃを仮止めする。次に、上梁部材４のレール溝４ｅに複数の取付ボルト４２の頭部を嵌め込み所定の位置までスライドさせ、レール溝４ｅから突出している取付ボルト４２の脚に束材２８の傾斜端面側のボルト孔を挿入し、ナット４２ａで仮止めする。この時、傾斜端面は水平段部４ｂの下面に当接する。この時、隣接する束材２８は互いに反対を向くよう取り付けられている。
【００３３】
次に、各束材２８を水上側取付プレート２ｃの前方にそれぞれ位置するように配置し、締結ボルト２６を各束材２８のボルト孔と、これに一致している水上側取付プレート２ｃの垂直長孔２ｃ５に挿入する。そして、垂直長孔２ｃ５から飛び出している締結ボルト２６の脚に取付部材２ｄのボルト孔を挿入し、ナット２６ａで仮止め行う。これにより水上側取付プレート２ｃに束材２８を介して上梁部材４が仮止めされたことになる。組み立て方はこれに限られず、先に、束材２８を水上側取付プレート２ｃに仮止めし、その後で上梁部材４を仮止めしてもよい。
【００３４】
同様に下梁部材５のレール溝５ｅに所定個数の締結ボルト３６の頭部を嵌め込んで所定の位置までスライドさせる。そして、各水下側取付プレート３ｃの垂直長孔３ｃ５に締結ボルト３６の脚を挿入し、さらに垂直長孔３ｃ５から飛び出している締結ボルト３６の脚に取付部材３ｄのボルト孔を挿入し、ナット３６ａで仮止め行う。これにより水下側取付プレート３ｃに下梁部材５が仮止めされたことになる。そして、必要があれば図７に示すように隣接する上・下梁部材４，５を組立金具６にて連結部する。連結の方法は後述する。
【００３５】
このように、架台１の仮組みが終わると、水上側・水下側取付プレート２ｃ、３ｃの締結ボルト２６，３６を緩め、垂直長孔２ｃ５，３ｃ５を利用して上・下梁部材４、５の高さ調整を行う。これにより上・下梁部材４、５を設置した時の太陽光発電パネル２０の傾斜角度や取り付け高さを調整できる。この時、取付部材２ｄ、３ｄの水平凹凸溝２ｄ３、３ｄ３が水上側・水下側取付プレート２ｃ、３ｃの垂直板部２ｃ２，３ｃ３の水平凹凸溝２ｃ３、３ｃ３の噛合しているため溝幅Ｔで高さ調整が可能となる。調整が完了すると、ナット２６ａ、３７ａ、４２ａその他を締め、基台１０を一体化する。
【００３６】
続いて基台１０の上・下梁部材４，５上に斜辺部材３０を所定間隔で傾斜して設置する。上・下梁部材４，５と斜辺部材３０との固定は以下のように行われる。図３に示すように、上梁部材４（または下梁部材５）の係合溝３１ｍ’に組立金具６を挿入し、上梁部材４（または下梁部材５）と斜辺部材３０が交差する部分に位置させる。斜辺部材３０のカバー部材３２を開き、斜辺部材本体３１の下リブ３１ｒのボルト孔３１ｒ２に六角穴付きボルトのような締結具Ｃを挿入し、雄ネジのような締結具Ｃの締結部分を組立金具６の締結部６ｃに捻じ込む。図３では組立金具６及び締結具Ｃは２個使いであるが、勿論、１でもよい。
【００３７】
組立金具６はこの捻じ込みによって斜辺部材３０側に引き寄せられ、組立金具６の隆起部６ｒの絶縁破壊突起６ａは斜辺部材３０の接合面に食い込み、接合面の絶縁被膜を破壊し、これによって絶縁破壊突起６ａと斜辺部材３０の電気的接合が図られる。同様に組立金具６の他方の絶縁破壊突起６ｂは上梁部材４（または下梁部材５）の係止リブ３１ｏ’の下面に食い込み、係止リブ３１ｏ’の下面の絶縁被膜を破壊し、絶縁破壊突起６ｂと係止リブ３１ｏ’の電気的接合が図られる。その結果、組立金具６を介して上梁部材４（または下梁部材５）と斜辺部材３０の電気的接合が実現する。同時に締結具Ｃの組立金具６への捻じ込みにより、斜辺部材本体３１が上梁部材４（または下梁部材５）の上面に押圧固定され、斜辺部材３０を上梁部材４（または下梁部材５）に機械的に固定する。なお、上梁部材４（または下梁部材５）の適所から引き出されたアース線７０の下端が地中に埋設される。
【００３８】
斜辺部材３０の固定が終了すると、次に図１に示すように組み立てられた基台１０上に縦横に太陽光発電パネル２０が配置される。そして図３に示すように、両端に外鍔５１が突出された固定部材５０の本体５０ａが、隣接する太陽光発電パネル２０の間に配設され、外鍔５１を太陽光発電パネル２０の上に係止した状態で締結孔５０（図示せず）に六角ボルトのような締結具（図示せず）にて固定する。組立金具６による電気的・機械的接続は上記と同じである。これにより、太陽光発電パネル２０の斜辺部材３０への機械的・電気的固定が完了する。組立は図からわかるように接続部分は１本のボルトによるため、作業が非常に簡単であるし、使用する構成部材もアルミ製であるので非常に軽く、鋼材を使用する場合に比べて組立作業が格段に能率的になる。
【００３９】
そして、最後に太陽光発電パネル２０から引き出されたコード２１は電線挿通用空間３３内に収納され、外部から保護されることになる。加えて、コード３４が外部に剥き出しにならず外観的にすっきりしたものとなる。
【００４０】
このように組み立てられた太陽光発電システムでは、太陽光を浴び、太陽光発電が行われることになる。
【符号の説明】
【００４１】
１：太陽光発電パネル用架台，２：水上側支持脚，２ａ：基礎ブロック，２ｂ：脚部，２ｃ：水上側取付プレート，２ｃ１：水平板部，２ｃ２：垂直板部，２ｃ３：水平凹凸溝，２ｃ４：補強部，２ｃ５:垂直長孔,２ｃ６:水平長孔,２ｄ：取付部材，２ｄ３：水平凹凸溝，２ｄ４：ボルト孔，３：水下側支持脚，３ａ：基礎ブロック，３ｂ：水下側設置部材，３ｃ：水下側取付プレート，３ｃ１：水平板部，３ｃ２：垂直板部，３ｃ３：水平凹凸溝，３ｃ４：補強部，３ｃ５：垂直長孔，３ｃ６：水平長孔，３ｄ：取付部材，３ｄ３：水平凹凸溝，３ｄ４：通孔，４：上梁部材，４ａ：本体部，４ｂ：水平段部，４ｄ：凹溝，４ｅ：レール溝，４ｅ１：開口縁，４ｆ：Ｖ凸条，５：下梁部材，５ａ：本体部，５ｅ：レール溝，５ｅ１：開口溝，６：組立金具，６ａ，６ｂ：絶縁破壊突起，６ｃ：締結部，６ｈ：金具本体，６ｒ：隆起部，６ｔ：上面，２０：太陽光発電パネル，２１：コード，２６：締結ボルト，２６ａ：ナット，２７：取付ボルト，２７ａ：ナット，２８：束材，２８ｄ：膨出部分，２８ｆ：Ｖ凹溝，３０：斜辺部材，３１：斜辺部材本体，３１ｊ：上面部，３１ｋ：下面部，３１ｍ，３１ｍ’，３１ｎ：係合溝，３１ｏ，３１ｏ’，３１ｐ:係止リブ，３１ｒ：下リブ，３１ｒ１：掛止片，３１ｒ２：ボルト孔，３１ｑ：垂設片，３１ｓ：軸部，３１ｔ：縦片，３２：カバー部材，３２ａ：水平片部，３２ｂ：垂直片部，３２ｂ１：通孔，３２ｃ：円弧片部，３２ｄ：内鍔片，３２ｄ１：係止片，３２ｓ：関節部，３３：電線挿通用空間，３４：開口，３６：締結ボルト，３６ａ：ナット，３７：取付ボルト，３７ａ：ナット，４２：取付ボルト，４２ａ：ナット，５０：固定部材，５０ａ：本体，５１：外鍔、７０：アース線，Ｌ：基礎ブロック間の間隔，Ｇ：地盤，Ｔ：溝幅。
【図１】
2015021348.tif 000003
【図２】
2015021348.tif 000004
【図３】
2015021348.tif 000005
【図４】
2015021348.tif 000006
【図５】
2015021348.tif 000007
【図６】
2015021348.tif 000008
【図７】
2015021348.tif 000009
【図８】
2015021348.tif 000010
【図９】
2015021348.tif 000011
【手続補正書】
【提出日】平成25年7月24日(2013.7.24)
【手続補正１】
【補正対象書類名】明細書
【補正対象項目名】全文
【補正方法】変更
【補正の内容】
【発明の詳細な説明】
【技術分野】
【０００１】
本発明は、太陽光を用いて発電を行う太陽光発電パネル用架台の支持脚構造に関し、特に太陽光発電パネルの設置角度や設置高さを簡単かつ確実に変更することができ、しかも台風などの気象環境の変化に影響を受けにくい支持脚構造に係る。
【背景技術】
【０００２】
太陽光発電システムでは、太陽光を最も効率よく取り入れることができる方向に太陽光発電パネルを向けて架台上に固定支持する必要がある。この架台は通常複数の斜辺部材と複数の支持脚部材を現場で矩形状もしくは井桁状に組み合わせ、各斜辺部材の上に縦横に複数の太陽光発電パネルを配置して、各太陽光発電パネルを固定支持している（特許文献１）。
【０００３】
現場での組み立ては、架台を前述のように太陽光を最も効率よく取り入れることができる方向に向けて組み立てる必要があるため、太陽光発電パネルの傾斜角度や設置高さなどを微妙に調整する必要があり、太陽光発電システムが大面積の場合、膨大な調整を必要としこれが組み立て作業の効率化を妨げていた。又、このように組み立てられた架台は長期間にわたって風雨に曝されることになるが、特に大面積で設置される太陽光発電パネルは、台風などの暴風を受けた時、架台の下に回り込んだ風によって大きな風圧を受け、支持脚部材が破損するというような被害を受けることが多い。
そのために従来の架台では、構成部材に強度の大なＨ形鋼やＣ形鋼などスチール製を多用している。しかしながらスチール製の構成部材は非常に重く、持ち運びや組み立てに多大の労力が必要となり、この面でも組み立て作業の非効率化を招いていた。加えて、前述のような設置角度や設置高さの調整が必要であるが、構成部材にＨ形鋼やＣ形鋼など使用している場合、構造が単純であるため構造部材の接続部分での調整に手間取ることが多く、この点でも非効率化を招いていた。
【先行技術文献】
【特許文献】
【０００４】
【特許文献１】特開２０１３−１２５８５６号公報
【発明の概要】
【発明が解決しようとする課題】
【０００５】
本発明は、上記問題点に鑑みてなされたもので、架台の角度調整や高さ調整をワンタッチで行うことができ、しかも強度的にも非常に優れた太陽光発電パネル用架台の支持脚構造を提供するにある。
【課題を解決するための手段】
【０００６】
請求項１に記載の発明は、
背の低い水下側支持脚３を複数並設すると共に水下側支持脚３上に下梁部材５を架設し、
水下側支持脚３の列に沿って背の高い水上側支持脚２を複数並設すると共に水上側支持脚２上に上梁部材４を架設し、
下梁部材５と上梁部材４の上にて傾斜させて、複数の斜辺部材３０を所定間隔で並べて架設し、
斜辺部材３０の上に複数の太陽光発電パネル２０を傾斜させて並設するための太陽光発電パネル用架台１の支持脚構造において、
水上側支持脚２は、地盤Ｇに設置された水上側基礎ブロック２ａ、水上側基礎ブロック２ａに固定される水上側取付プレート２ｃ、下端部が取付部材２ｄを介して水上側取付プレート２ｃに取り付けられ、上端部が上梁部材４に固定された束材２８とで構成され、
水下側支持脚３は、地盤Ｇに設置された水下側基礎ブロック３ａ、水下側基礎ブロック３ａに固定され、取付部材３ｄを介して下梁部材５に取り付けられる水下側取付プレート３ｃとで構成され、
各取付部材２ｄ、３ｄと、水上側取付プレート２ｃ又は水下側取付プレート３ｃとの接触面には多列の水平凹凸溝２ｃ３、２ｄ３、３ｃ３，３ｄ３がそれぞれ形成され、
水上側取付プレート２ｃ又は水下側取付プレート３ｃには縦方向の垂直長孔２ｃ５，３ｃ５が形成され、
各取付部材２ｄ、３ｄには締結ボルト２６，３６用の通孔２ｄ４、３ｄ４が穿設され、
束材２８又は下梁部材５に取り付けられ、前記垂直長孔２ｃ５，３ｃ５及び通孔２ｄ４、３ｄ４を挿通して取り付けられた締結ボルト２６，３６により、束材２８が水上側取付プレート２ｃに固定され、下梁部材５が水下側取付プレート３ｃに固定されていることを特徴とする。
【０００７】
請求項２は、請求項１において、上梁部材４の、束材２８の上端部が取り付けられる面には上梁部材４の全長に亙って水平段部４ｂが形成されており、
束材２８の上端部が前記水平段部４ｂに当接し、且つ、隣接する束材２８は、互いに反対方向に傾斜するように上梁部材４に取り付けられていることを特徴とする。
【０００８】
請求項３は、請求項１又は２において、上梁部材４及び下梁部材５の締結ボルト２６，３６の取付面に上梁部材４及び下梁部材５の全長にわたって締結ボルト２６，３６の取り付け用のレール溝４ｅ、５ｅが形成されていることを特徴とする。
【０００９】
請求項４は、請求項１〜３のいずれかにおいて、少なくとも基礎ブロック２ａ，３ａを除く架台１の構造部材がアルミ押出部材であることを特徴とする。
【発明の効果】
【００１０】
請求項１に記載の発明は、接触面に多列の水平凹凸溝２ｃ３、２ｄ３、３ｃ３，３ｄ３がそれぞれ形成された取付部材２ｄ、３ｄと水上側取付プレート２ｃ又は水下側取付プレート３ｃとを用いて架台１を組み立てているので、基礎ブロック２ａ，３ａ上の水上側取付プレート２ｃ又は水下側取付プレート３ｃを基準に、水上側取付プレート２ｃ又は水下側取付プレート３ｃの縦方向の垂直水平長孔２ｃ６，３ｃ５を利用して束材２８や下梁部材５を取付部材２ｄ、３ｄとともに上下させ、適正箇所で水下側取付プレート３ｃと水下側取付プレート３ｃを両側から締結ボルト２６，３６を締め付けることで、水上側取付プレート２ｃ又は水下側取付プレート３ｃに束材２８や下梁部材５を固定することになる。この時、水平凹凸溝２ｃ３、２ｄ３、３ｃ３，３ｄ３により溝幅Ｔで取り付け高さや傾斜角度をワンタッチで細かくかつ正確に調整することができ、作業の効率化を図ることができる。
【００１１】
また、束材２８の上端部を上梁部材４に形成された前記水平段部４ｂに当接するようにしておけば、上梁部材４に対して束材２８が上梁部材４を下から持ち上げるような状態となり、束材２８に対する上梁部材４の固定がより強固に行われ、さらに、束材２８が互いに反対方向に傾斜するように上梁部材４に取り付けられているため、上梁部材４に平行な強風に対して反対方向に傾斜した束材２８が一種のトラス構造の働きをなし、仮に、架台１の構造部材を軽量のアルミ押出材で構成したとしても、十分な強度を示すことになる。
【００１２】
さらに、上梁部材４及び下梁部材５の締結ボルト２６，３６の取付面の全長にわたってレール溝４ｅ、５ｅを形成しておけば、締結ボルト２６，３６をレール溝４ｅ、５ｅに沿って移動させることが出来、どの位置でも束材２８や下梁部材５を取り付けることができる。なお、架台１の構造部材をアルミ押出部材とすれば、軽量のため取り扱いが簡単で組み立て作業を効率的に行うことができる。
【図面の簡単な説明】
【００１３】
【図１】本実施形態における太陽光発電パネルの設置状態の斜視図である。
【図２】図１に用いられる基台の斜視図である。
【図３】本発明に用いられる斜辺部材の設置状態の拡大断面斜視図である。
【図４】図３のＸ部拡大断面斜視図である。
【図５】本発明の水上側支持脚部分の斜視図である。
【図６】本発明の水下側支持脚部分の斜視図である。
【図７】(a)は本発明の水上側支持脚部分の断面図、(b)はその一部拡大断面図、(c)は他の実施例の一部拡大断面図である。
【図８】(a)は本発明の水下側支持脚部分の側面図、(b)はその一部拡大図である。
【図９】本発明に使用される組立金具の斜視図である。
【発明を実施するための形態】
【００１４】
以下、本発明の実施形態について図面に沿って詳細に説明する。太陽光発電パネル２０は、照射された太陽光を電気に変換し、該パネル２０から引き出されたコード２１を介して外部に送電する設備であり、基台１０上に傾斜させて並設された斜辺部材３０上に縦横に並べて設置され、引き出されたコード２１は必要に応じて斜辺部材３０に収納される。基台１０は、斜辺部材３０が傾斜して所定間隔で載置される上・下梁部材４，５以下の部分である。
【００１５】
太陽光発電パネル用架台１は、基台１０と、この上に傾斜して所定間隔で載置される斜辺部材３０とで構成される。基台１０は、並設された複数の背の高い水上側支持脚２と、水上側支持脚２より背の低い水下側支持脚３と、隣接する水上側支持脚２間に架設された上梁部材４と、隣接する水下側支持脚３間にそれぞれに架設された下梁部材５で構成されている。水上側支持脚２及び水下側支持脚３は、基礎ブロック２ａ，３ａと、基礎ブロック２ａ，３ａ上に設けられた背の高い脚部２ｂ、背の低い水下側設置部材３ｂで構成されている。基礎ブロック２ａ，３ａ間の間隔Ｌを接離させることにより、或いは後述する束材２８などの取付高さを変更することにより、基台１０の傾斜角度を適切な角度に設定することができる。そして、図２に示すように、上梁部材４と下梁部材５に直交し且つ所定間隔で斜辺部材３０が傾斜して固定されている。
【００１６】
斜辺部材３０は、図４に示すように、斜辺部材本体３１と必要に応じて設けられるカバー部材３２とで構成されている。本実施例ではカバー部材３２を用いた場合を採用している。斜辺部材本体３１は、アルミ押出材で構成され、平行した一対の縦片３１ｔと、縦片３１ｔの上縁間に設けられた上面部３１ｊ、下縁間に設けられた下面部３１ｋおよび下縁外面から外に延出されたＬ形の下リブ３１ｒとで構成され、上・下面部３１ｊ、３１ｋには斜辺部材本体３１の全長にわたって係合溝３１ｍ，３１ｎが形成されている。係合溝３１ｍ，３１ｎの開口内縁にはそれぞれ係止リブ３１ｏ，３１ｐが全長にわたって突設されている。そして、上面部３１ｊの外縁から垂設された垂設片３１ｑの下端全長に軸部３１ｓが形成されている。Ｌ形の下リブ３１ｒの先端部分には上方に向かって掛止片３１ｒ１が立設されている。
【００１７】
カバー部材３２は樹脂材（勿論、アルミ押出材で形成してもよい。）で、水平片部３２ａと垂直片部３２ｂおよび水平片部３２ａと垂直片部３２ｂを繋ぐ円弧片部３２ｃとで構成されており、水平片部３２ａの先端に軸部３１ｓに外嵌して回動する関節部３２ｓが全長に亘って形成され、縦片３１ｔの側面３１ａとカバー部材３２との間に電線挿通用空間３３が設けられている。垂直片部３２ｂの下端部内面には内方に延出された内鍔片３２ｄが全長に亘って設けられており、下リブ３１ｒの掛止片３１ｒ１に係脱可能な係止片３２ｄ１が垂設されている。なお、内鍔片３２ｄの先端部分は全長に亘って下方に傾斜するように折曲されている。そして垂直片部３２ｂの下端部分に固定用の通孔３２ｂ１が所定間隔で形成されている。カバー部材３２は斜辺部材本体３１と同じ長さで、カバー部材３２の関節部３２ｓを軸部３１ｓに外嵌させ、この部分を丁番として回動可能とし、斜辺部材本体３１とカバー部材３２の少なくともいずれか一方に、電線挿通用空間３３に連通する開口３４を形成するようにしてもよいが、本実施例では、図３に示すように、カバー部材３２の長さを例えば太陽光発電パネル２０に合わせた長さとし、電線挿通用空間３３に連通する開口３４となる隙間を設けて複数枚のカバー部材３２を斜辺部材本体３１に取り付けるようにしている。
【００１８】
上・下梁部材４，５もアルミ押出材で、図７，８に示すように、斜辺部材３０の下面に接合される対向面である上面の全長に亘って設けられた係合溝３１ｍ’の開口縁に係止リブ３１ｏ’が形成されている。なお、係合溝３１ｍ’は斜辺部材３０の係合溝３１ｍと同じ形状である。従って、係止リブ３１ｏ’も係止リブ３１ｏと同じ形状である。
【００１９】
上梁部材４の断面形状は、図７からわかるように、その本体部４ａの上面が若干傾斜しており、束材２８の取り付け側の面の下部に大きな水平段部４ｂが形成されており、水平段部４ｂの垂直面に全長にわたってレール溝４ｅが設けられており、レール溝４ｅの開口縁４ｅ１に取付ボルト４２の頭部が係合しつつスライドするようになっている。
【００２０】
そして、レール溝４ｅの上下には垂直面の長手方向の全長にわたって浅い凹溝４ｄが形成されており、さらにボルト孔の上下にてその凹溝４ｄに長手方向の全長にわたってＶ凸条４ｆが形成されている。
【００２１】
下梁部材５の断面形状は、図８からわかるように、本体部５ａは長方形で上面が若干傾斜しており、水下側取付プレート３ｃに接触する面には長手方向を全長にわたってレール溝５ｅが形成されており、レール溝５ｅの開口縁５ｅ１に締結ボルト３６の頭部が係合しつつスライドするようになっている。
【００２２】
水上側支持脚２は、地盤Ｇに設置された水上側基礎ブロック２ａ、水上側基礎ブロック２ａに固定される水上側取付プレート２ｃ、下端部が取付部材２ｄを介して水上側取付プレート２ｃに取り付けられ、上端部が上梁部材４に固定された束材２８とで構成されている。なお、水上側基礎ブロック２ａ上の脚部１ｂは水上側取付プレート２ｃ、取付部材２ｄ及び束材２８で構成される。水上側基礎ブロック２ａは、略立方体状のコンクリートブロックで、上面に取付ボルト２７が植設されている。
【００２３】
水上側取付プレート２ｃは、水平板部２ｃ１と、水平板部２ｃ１の先端に立設された垂直板部２ｃ２とでＬ形に構成され、その入隅には全長にわたって肉厚で略直角三角形状の補強部２ｃ４が形成されている。そして、水平板部２ｃ１の中央には垂直板部２ｃ２側から反対側の辺に向かう１つの水平長孔２ｃ６が形成され、垂直板部２ｃ２の水平板部２ｃ１側の垂直面には水平方向に多段の水平凹凸溝２ｃ３が形成され、更に両脇に縦方向に１つの垂直長孔２ｃ５がそれぞれ形成されている。
【００２４】
取付部材２ｄは矩形の板で、中央に通孔２ｄ４が形成されており、垂直板部２ｃ２に接触する面には垂直板部２ｃ２の水平凹凸溝２ｃ３に噛合する多段の水平凹凸溝２ｄ３が水平方向に形成されている。
【００２５】
束材２８はアルミの板材で、両端にボルト孔が形成されており、その上端は長手方向に対して斜め（例えば４０〜５０°）に切断されている「図７(b)」。これに対して、図７(c)に示す他の実施例では、上梁部材４に接する面には斜めに切落された上端に平行にて幅方向に膨出部分２８ｄが設けられており、さらにその膨出部分２８ｄのボルト孔の上下にＶ凹溝２８ｆが幅方向にて上端に平行に傾斜して形成されている。このＶ凹溝２８ｆを形成しておけば、束材２８を上梁部材４によりよく添わせることができる。
【００２６】
水下側支持脚３は、地盤Ｇに設置された水下側基礎ブロック３ａ、水下側基礎ブロック３ａに固定され、取付部材３ｄを介して下梁部材５に取り付けられる水下側取付プレート３ｃとで構成されている。水下側基礎ブロック３ａは前述の水上側基礎ブロック２ａと同じで、その上面に取付ボルト３７が植設されている。前述の水下側設置部材３ｂは水下側取付プレート３ｃと取付部材３ｄ及びその締結部材（締結ボルト３６、ナット３６ａなどの）で構成されることになる。
【００２７】
取付部材３ｄは、取付部材２ｄと同一形状であり、取付部材２ｄの記載を取付部材３ｄの説明に援用する。同様に水下側取付プレート３ｃも水上側取付プレート２ｃと同一形状であり、水上側取付プレート２ｃの記載を水下側取付プレート３ｃの説明に援用する。取付部材２ｄに対応する部分は、それぞれ水平板部３ｃ１、垂直板部３ｃ２、水平方向に設けられた多段の水平凹凸溝３ｃ３、肉厚で略直角三角形状の補強部３ｃ４、垂直長孔３ｃ５、１つの水平長孔３ｃ６が形成されている。
【００２８】
取付部材３ｄでは、多段の水平凹凸溝３ｄ３、中央の通孔３ｄ４が形成されている。なお、水平凹凸溝２ｃ３、２ｄ３、３ｃ３、３ｄ３の溝幅Ｔは１〜２ｍｍ程度のものである。
【００２９】
組立金具６は、図９に示すように細長い棒状の金属（例えばステンレス）製部材で、締結具として六角ボルトが使用され、これに対して、金具本体６ｈの上面６ｔの中央に締結部６ｃとなるねじ孔が形成されている。勿論、締結具が六角ボルトでなければ、それに対応した締結部６ｃが採用される。そして、締結部６ｃの両方に斜辺部材３０の係合溝３１ｍの係止リブ３１ｏや、上・下梁部材４，５の係合溝３１ｍ’の係止リブ３１ｏ’の厚みとほぼ等しい高さの直方体状の隆起部６ｒが突設されており、隆起部６ｒの入隅部分が係止リブ３１ｏ，３１ｏ’に係止する係止部となっている。
【００３０】
そして、一方の絶縁破壊突起６ａは隆起部６ｒの上面６ｔに２カ所づつ、他方の絶縁破壊突起６ｂは金具本体６ｈの上面６ｔで、締結部６ｃの周囲に本実施例では４カ所突設されている。絶縁破壊突起６ａ，６ｂの形状は円錐や三角錐、四角錐など錐形のものが好ましい。なお、隆起部６ｒの上面６ｔに設けられた絶縁破壊突起６ａは、隆起部６ｒの両サイドの入隅部分が係止リブ３１ｏ，３１ｏ’に係止し、絶縁破壊突起６ｂがこれらに突き刺さった時に、係止リブ３１ｏ，３１ｏ’より上に突出して上の接合面に突き刺さる高さに形成されている。
【００３１】
太陽光発電パネル２０を固定する固定部材５０はコ字状の本体５０ａの開口端に外鍔５１が突設されており、本体５０ａの中央に締結孔が穿設されている。
【００３２】
基台１０の組み立てに当たっては、基礎ブロック２ａ，３ａを所定の間隔で配置し、基礎ブロック２ａ，３ａに水上側・水下側取付プレート２ｃ，３ｃを仮止めする。次に、上梁部材４のレール溝４ｅに複数の取付ボルト４２の頭部を嵌め込み所定の位置までスライドさせ、レール溝４ｅから突出している取付ボルト４２の脚に束材２８の傾斜端面側のボルト孔を挿入し、ナット４２ａで仮止めする。この時、傾斜端面は水平段部４ｂの下面に当接する。この時、隣接する束材２８は互いに反対を向くよう取り付けられている。
【００３３】
次に、各束材２８を水上側取付プレート２ｃの前方にそれぞれ位置するように配置し、締結ボルト２６を各束材２８のボルト孔と、これに一致している水上側取付プレート２ｃの垂直長孔２ｃ５に挿入する。そして、垂直長孔２ｃ５から飛び出している締結ボルト２６の脚に取付部材２ｄのボルト孔を挿入し、ナット２６ａで仮止めを行う。これにより水上側取付プレート２ｃに束材２８を介して上梁部材４が仮止めされたことになる。組み立て方はこれに限られず、先に、束材２８を水上側取付プレート２ｃに仮止めし、その後で上梁部材４を仮止めしてもよい。
【００３４】
同様に下梁部材５のレール溝５ｅに所定個数の締結ボルト３６の頭部を嵌め込んで所定の位置までスライドさせる。そして、各水下側取付プレート３ｃの垂直長孔３ｃ５に締結ボルト３６の脚を挿入し、さらに垂直長孔３ｃ５から飛び出している締結ボルト３６の脚に取付部材３ｄのボルト孔を挿入し、ナット３６ａで仮止めを行う。これにより水下側取付プレート３ｃに下梁部材５が仮止めされたことになる。そして、必要があれば図７に示すように隣接する上・下梁部材４，５を組立金具６にて連結部する。連結の方法は後述する。
【００３５】
このように、架台１の仮組みが終わると、水上側・水下側取付プレート２ｃ、３ｃの締結ボルト２６，３６を緩め、垂直長孔２ｃ５，３ｃ５を利用して上・下梁部材４、５の高さ調整を行う。これにより上・下梁部材４、５を設置した時の太陽光発電パネル２０の傾斜角度や取り付け高さを調整できる。この時、取付部材２ｄ、３ｄの水平凹凸溝２ｄ３、３ｄ３が水上側・水下側取付プレート２ｃ、３ｃの垂直板部２ｃ２，３ｃ２の水平凹凸溝２ｃ３、３ｃ３と噛合しているため溝幅Ｔで高さ調整が可能となる。調整が完了すると、ナット２６ａ、３７ａ、４２ａその他を締め、基台１０を一体化する。
【００３６】
続いて基台１０の上・下梁部材４，５上に斜辺部材３０を所定間隔で傾斜して設置する。上・下梁部材４，５と斜辺部材３０との固定は以下のように行われる。図３に示すように、上梁部材４（または下梁部材５）の係合溝３１ｍ’に組立金具６を挿入し、上梁部材４（または下梁部材５）と斜辺部材３０が交差する部分に位置させる。斜辺部材３０のカバー部材３２を開き、斜辺部材本体３１の下リブ３１ｒのボルト孔３１ｒ２に六角穴付きボルトのような締結具Ｃを挿入し、雄ネジのような締結具Ｃの締結部分を組立金具６の締結部６ｃに捻じ込む。図３では組立金具６及び締結具Ｃは２個使いであるが、勿論、１でもよい。
【００３７】
組立金具６はこの捻じ込みによって斜辺部材３０側に引き寄せられ、組立金具６の隆起部６ｒの絶縁破壊突起６ａは斜辺部材３０の接合面に食い込み、接合面の絶縁被膜を破壊し、これによって絶縁破壊突起６ａと斜辺部材３０の電気的接合が図られる。同様に組立金具６の他方の絶縁破壊突起６ｂは上梁部材４（または下梁部材５）の係止リブ３１ｏ’の下面に食い込み、係止リブ３１ｏ’の下面の絶縁被膜を破壊し、絶縁破壊突起６ｂと係止リブ３１ｏ’の電気的接合が図られる。その結果、組立金具６を介して上梁部材４（または下梁部材５）と斜辺部材３０の電気的接合が実現する。同時に締結具Ｃの組立金具６への捻じ込みにより、斜辺部材本体３１が上梁部材４（または下梁部材５）の上面に押圧固定され、斜辺部材３０を上梁部材４（または下梁部材５）に機械的に固定する。なお、上梁部材４（または下梁部材５）の適所から引き出されたアース線７０の下端が地中に埋設される。
【００３８】
斜辺部材３０の固定が終了すると、次に図１に示すように組み立てられた基台１０上に縦横に太陽光発電パネル２０が配置される。そして図３に示すように、両端に外鍔５１が突出された固定部材５０の本体５０ａが、隣接する太陽光発電パネル２０の間に配設され、外鍔５１を太陽光発電パネル２０の上に係止した状態で締結孔（図示せず）に六角ボルトのような締結具（図示せず）にて固定する。組立金具６による電気的・機械的接続は上記と同じである。これにより、太陽光発電パネル２０の斜辺部材３０への機械的・電気的固定が完了する。組立は図からわかるように接続部分は１本のボルトによるため、作業が非常に簡単であるし、使用する構成部材もアルミ製であるので非常に軽く、鋼材を使用する場合に比べて組立作業が格段に能率的になる。
【００３９】
そして、最後に太陽光発電パネル２０から引き出されたコード２１は電線挿通用空間３３内に収納され、外部から保護されることになる。加えて、コード２１が外部に剥き出しにならず外観的にすっきりしたものとなる。
【００４０】
このように組み立てられた太陽光発電システムでは、太陽光を浴び、太陽光発電が行われることになる。
【符号の説明】
【００４１】
１：太陽光発電パネル用架台，１ｂ：脚部，２：水上側支持脚，２ａ：基礎ブロック，２ｂ：脚部，２ｃ：水上側取付プレート，２ｃ１：水平板部，２ｃ２：垂直板部，２ｃ３：水平凹凸溝，２ｃ４：補強部，２ｃ５:垂直長孔, ２ｃ６:水平長孔, ２ｄ：取付部材，２ｄ３：水平凹凸溝，２ｄ４：通孔，３：水下側支持脚，３ａ：基礎ブロック，３ｂ：水下側設置部材，３ｃ：水下側取付プレート，３ｃ１：水平板部，３ｃ２：垂直板部，３ｃ３：水平凹凸溝，３ｃ４：補強部，３ｃ５：垂直長孔，３ｃ６：水平長孔，３ｄ：取付部材，３ｄ３：水平凹凸溝，３ｄ４：通孔，４：上梁部材，４ａ：本体部，４ｂ：水平段部，４ｄ：凹溝，４ｅ：レール溝，４ｅ１：開口縁，４ｆ：Ｖ凸条，５：下梁部材，５ａ：本体部，５ｅ：レール溝，５ｅ１：開口縁，６：組立金具，６ａ，６ｂ：絶縁破壊突起，６ｃ：締結部，６ｈ：金具本体，６ｒ：隆起部，６ｔ：上面，１０：基台，２０：太陽光発電パネル，２１：コード，２６：締結ボルト，２６ａ：ナット，２７：取付ボルト，２７ａ：ナット，２８：束材，２８ｄ：膨出部分，２８ｆ：Ｖ凹溝，３０：斜辺部材，３１：斜辺部材本体，３１ａ：側面，３１ｊ：上面部，３１ｋ：下面部，３１ｍ，３１ｍ’，３１ｎ：係合溝，３１ｏ，３１ｏ’，３１ｐ:係止リブ，３１ｑ：垂設片，３１ｒ：下リブ，３１ｒ１：掛止片，３１ｒ２：ボルト孔，３１ｓ：軸部，３１ｔ：縦片，３２：カバー部材，３２ａ：水平片部，３２ｂ：垂直片部，３２ｂ１：通孔，３２ｃ：円弧片部，３２ｄ：内鍔片，３２ｄ１：係止片，３２ｓ：関節部，３３：電線挿通用空間，３４：開口，３６：締結ボルト，３６ａ：ナット，３７：取付ボルト，３７ａ：ナット，４２：取付ボルト，４２ａ：ナット，５０：固定部材，５０ａ：本体，５１：外鍔、７０：アース線，Ｃ：締結具，Ｌ：基礎ブロック間の間隔，Ｇ：地盤，Ｔ：溝幅。
【手続補正２】
【補正対象書類名】特許請求の範囲
【補正対象項目名】全文
【補正方法】変更
【補正の内容】
【特許請求の範囲】
【請求項１】
背の低い水下側支持脚を複数並設すると共に水下側支持脚上に下梁部材を架設し、
水下側支持脚の列に沿って背の高い水上側支持脚を複数並設すると共に水上側支持脚上に上梁部材を架設し、
下梁部材と上梁部材の上にて傾斜させて、複数の斜辺部材を所定間隔で並べて架設し、
斜辺部材の上に複数の太陽光発電パネルを傾斜させて並設するための太陽光発電パネル用架台の支持脚構造において、
水上側支持脚は、地盤に設置された水上側基礎ブロック、水上側基礎ブロックに固定される水上側取付プレート、下端部が取付部材を介して水上側取付プレートに取り付けられ、上端部が上梁部材に固定された束材とで構成され、
水下側支持脚は、地盤に設置された水下側基礎ブロック、水下側基礎ブロックに固定され、取付部材を介して下梁部材に取り付けられる水下側取付プレートとで構成され、
各取付部材と、水上側取付プレート又は水下側取付プレートとの接触面には多列の水平凹凸溝がそれぞれ形成され、
水上側取付プレート又は水下側取付プレートには縦方向の垂直長孔が形成され、
各取付部材には締結ボルト用の通孔が穿設され、
束材又は下梁部材に取り付けられ、前記垂直水平長孔及び通孔を挿通して取り付けられた締結ボルトにより、束材が水上側取付プレートに固定され、下梁部材が水下側取付プレートに固定されていることを特徴とする太陽光発電パネル用架台の支持脚構造。
【請求項２】
上梁部材の、束材の上端部が取り付けられる面には上梁部材の全長に亙って水平段部が形成されており、
束材の上端部が前記水平段部に当接し、且つ、隣接する束材は、互いに反対方向に傾斜するように上梁部材に取り付けられていることを特徴とする請求項１に記載の太陽光発電パネル用架台の支持脚構造。
【請求項３】
上梁部材及び下梁部材の締結ボルトの取付面に上梁部材及び下梁部材の全長にわたって締結ボルトの取り付け用のレール溝が形成されていることを特徴とする請求項１又は２に記載の太陽光発電パネル用架台の支持脚構造。
【請求項４】
少なくとも基礎ブロックを除く架台の構造部材がアルミ押出部材であることを特徴とする請求項１〜３のいずれかに記載の太陽光発電パネル用架台の支持脚構造。
【手続補正４】
【補正対象書類名】図面
【補正対象項目名】図６
【補正方法】変更
【補正の内容】
【図６】
2015021348.tif 000012
【手続補正５】
【補正対象書類名】図面
【補正対象項目名】図７
【補正方法】変更
【補正の内容】
【図７】
2015021348.tif 000013